(57)【要約】      （修正有）【課題】排水性を十分に確保しつつ防火性を良好な、開口枠の一部となる下枠の上面が略平坦に形成された建具に関する。【解決手段】矩形開口を有する開口枠と、開口枠に対して開閉自在に支持された障子２０，３０とを備えた建具において、開口枠を構成する下枠本体部１２ａに着脱可能に装着され、少なくとも矩形開口を閉塞する障子２０，３０の下框２２，３２と対向する部位に熱膨張性部材が設けられたアタッチメント１を備えている。【選択図】図３
2019070310.tif 000002
【特許請求の範囲】
【請求項１】
開口を有する開口枠と、前記開口枠に対して開閉自在にそれぞれ支持された複数の障子とを備えた建具であって、
前記開口枠を構成する下枠本体部に見込み方向に並列した状態で設けられ、前記複数の障子をそれぞれ案内するための複数のレールと、
前記下枠本体部における前記レールの相互間の部位に着脱可能に装着されるレール間アタッチメントとを備え、
前記レール間アタッチメントは、
当該レール間アタッチメントにおける上方に位置し、鉛直方向に交差して延在する上板部を有し、
前記上板部には、
第１熱膨張性部材が取り付けられている
ことを特徴とする建具。
【請求項２】
前記上板部には、
断面コ字状の溝部が設けられ、
前記第１熱膨張性部材は、
前記溝部内に収納されている
ことを特徴とする請求項１に記載の建具。
【請求項３】
前記複数のレールのいずれかのレールには、
前記レール間アタッチメントと見込み方向に対向する位置に第２熱膨張性部材が取り付けられている
ことを特徴とする請求項１または２に記載の建具。
【請求項４】
前記レール間アタッチメントは、
前記上板部から下方に向けてそれぞれ延在し、見込み方向に並列する第１対向壁部及び第２対向壁部を有し、
前記第１対向壁部及び前記第２対向壁部の少なくとも一方には、
第３熱膨張性部材が取り付けられている
ことを特徴とする請求項１〜３のいずれか１つに記載の建具。
【請求項５】
前記複数の障子のいずれかの第１障子を構成する下框は、
前記複数のレールのうち当該第１障子を案内する第１レールと見込み方向に重なる位置まで下方に向けて延在する垂下片を有し、
前記垂下片は、
前記第１障子を構成する下框において、前記第１レールに対して前記レール間アタッチメントから離間する側にのみ設けられ、
前記第１対向壁部は、
前記第２対向壁部よりも前記第１レールに近接する側に設けられ、
前記第３熱膨張性部材は、
前記第１対向壁部に取り付けられている
ことを特徴とする請求項４に記載の建具。
【請求項６】
開口を有する開口枠と、前記開口枠に対して開閉自在にそれぞれ支持された複数の障子とを備えた建具であって、
前記開口枠を構成する下枠本体部に見込み方向に並列した状態で設けられ、前記複数の障子をそれぞれ案内するための複数のレールと、
前記下枠本体部における前記複数のレールのうち最も室内側に位置する室内レールよりも室内側の部位に着脱可能に装着される室内側アタッチメントとを備え、
前記室内側アタッチメントにおける上方の部位には、
第４熱膨張性部材が取り付けられている
ことを特徴とする建具。
【発明の詳細な説明】
【技術分野】
【０００１】
本発明は、例えば引違い窓等の建具に関し、より詳細には、開口枠の一部となる下枠の上面が略平坦に形成された建具に関するものである。
【背景技術】
【０００２】
従来、例えば引違い窓等の建具において、開口枠の一部となる下枠の上面が略平坦に形成されたものが特許文献１に提案されている。
【０００３】
この特許文献１に提案されている建具においては、開口枠に支持された障子の戸車を転動させて該障子を案内するための複数のレールが見込み方向に沿って並設された下枠本体部に、これらレールの相互間等の凹部にアタッチメントが装着されることで下枠を構成し、該下枠の上面を略平坦に形成している。
【先行技術文献】
【特許文献】
【０００４】
【特許文献１】特開２００６−１８８９３９号公報
【発明の概要】
【発明が解決しようとする課題】
【０００５】
ところで、上述した特許文献１に提案されている建具においては、下枠本体部にアタッチメントを装着して下枠の上面を略平坦に形成しているので、下枠本体部の隙間をできる限り少なくした構造となっており、下枠本体部に発泡黒鉛等の熱膨張性部材を貼り付けることが困難となり、そのため、良好な防火性能を得ることが困難であった。また下枠本体部に熱膨張性部材を貼り付けることができたとしても、該熱膨張性部材が下枠の排水経路に貼り付けられると排水性能の低下を招来する虞れがあった。
【０００６】
本発明は、上記実情に鑑みて、排水性を十分に確保しつつ防火性を良好なものとすることができる建具を提供することを目的とする。
【課題を解決するための手段】
【０００７】
上記目的を達成するために、本発明に係る建具は、開口を有する開口枠と、前記開口枠に対して開閉自在にそれぞれ支持された複数の障子とを備えた建具であって、前記開口枠を構成する下枠本体部に見込み方向に並列した状態で設けられ、前記複数の障子をそれぞれ案内するための複数のレールと、前記下枠本体部における前記レールの相互間の部位に着脱可能に装着されるレール間アタッチメントとを備え、前記レール間アタッチメントは、当該レール間アタッチメントにおける上方に位置し、鉛直方向に交差して延在する上板部を有し、前記上板部には、第１熱膨張性部材が取り付けられていることを特徴とする。
【０００８】
また、本発明に係る建具は、開口を有する開口枠と、前記開口枠に対して開閉自在にそれぞれ支持された複数の障子とを備えた建具であって、前記開口枠を構成する下枠本体部に見込み方向に並列した状態で設けられ、前記複数の障子をそれぞれ案内するための複数のレールと、前記下枠本体部における前記複数のレールのうち最も室内側に位置する室内レールよりも室内側の部位に着脱可能に装着される室内側アタッチメントとを備え、前記室内側アタッチメントにおける上方の部位には、第４熱膨張性部材が取り付けられていることを特徴とする。
【発明の効果】
【０００９】
本発明によれば、排水性を十分に確保しつつ防火性を良好なものとすることができるという効果を奏する。
【図面の簡単な説明】
【００１０】
【図１】本発明の実施の形態である建具を室内側から見た場合を示す正面図である。
【図２】図１に示した建具の横断面図である。
【図３】図１に示した建具の縦断面図である。
【図４】図３に示した建具の要部を拡大して示す拡大縦断面図である。
【図５】図３及び図４に示したアタッチメントを取り外す様子を示す説明図である。
【図６】本発明の実施の形態である建具の変形例の要部を拡大して示す縦断面図である。
【図７】本発明の実施の形態である建具の他の変形例の要部を拡大して示す縦断面図である。
【図８】本発明の実施の形態である建具の他の変形例の要部を拡大して示す縦断面図である。
【図９】本発明の実施の形態である建具の他の変形例の要部を拡大して示す縦断面図である。
【発明を実施するための形態】
【００１１】
以下に添付図面を参照して、本発明に係る建具の好適な実施の形態について詳細に説明する。
【００１２】
図１〜図３は、それぞれ本発明の実施の形態である建具を示すものであり、図１は室内側から見た場合を示す正面図、図２は横断面図、図３は縦断面図である。ここで例示する建具は、例えば引違い窓であり、開口枠１０と左右２枚の障子２０，３０とを備えている。
【００１３】
開口枠１０は、上枠１１、下枠本体部１２ａ及び左右一対の縦枠１３，１４を四周枠組みすることによって構成されており、矩形開口１５を形成するものである。上枠１１は、例えばアルミニウム等の金属製の押出形材である室外側上枠部１１１と、例えばアルミニウム等の金属製の押出形材である室内側上枠部１１２とが断熱部材を介して連結され、更に樹脂製の押出形材である樹脂上枠部１１３が室内側上枠部１１２に係合して構成されている。このような上枠１１には、下方に向けて突出する複数（図示の例では２つ）の上レール１１５，１１６が該上枠１１の長手方向の全長に亘って形成されており、室外側から外障子用上レール１１５及び内障子用上レール１１６が形成されている。
【００１４】
下枠本体部１２ａは、例えばアルミニウム等の金属製の押出形材である室外側下枠本体部１２１と、例えばアルミニウム等の金属製の押出形材である室内側下枠本体部１２２とが断熱部材を介して連結されて構成されている。このような下枠本体部１２ａには、上方に向けて突出する複数（図示の例では２つ）の下レール１２５，１２６が該下枠本体部１２ａの長手方向の全長に亘って形成されており、室外側から外障子用下レール１２５及び内障子用下レール１２６が形成されている。
【００１５】
左右一対の縦枠１３，１４は、例えばアルミニウム等の金属製の押出形材である室外側縦枠部１３１，１４１と、例えば樹脂製の押出形材である室内側縦枠部１３２，１４２とが互いに係合して構成されている。
【００１６】
このような開口枠１０は、上枠１１、下枠本体部１２ａ及び左右一対の縦枠１３，１４のそれぞれを建物の壁等の躯体に形成された躯体開口に対してその開口縁部に沿うよう取り付けられている。
【００１７】
室外側の障子（以下、外障子（第１障子）ともいう）２０は、上框２１、下框２２及び左右一対の縦框２３，２４を四周框組みすることによって構成された框体の内部に面材であるガラス板２５が保持されたものであり、開口枠１０の内部に装着可能な大きさに構成されている。
【００１８】
上框２１は、例えばアルミニウム等の金属製の押出形材である室外側上框部２１１と、樹脂製の押出形材である室内側上框部２１２とが互いに係合して構成されている。下框２２は、例えばアルミニウム等の金属製の押出形材である室外側下框部２２１と、樹脂製の押出形材である室内側下框部２２２とが互いに係合して構成されている。
【００１９】
左右一対の縦框２３，２４のうち左方の縦框（以下、左縦框ともいう）２３は、例えばアルミニウム等の金属製の押出形材である室外側左縦框部２３１と、樹脂製の押出形材である室内側左縦框部２３２とが互いに係合して構成されている。一方、右方の縦框（以下、右縦框ともいう）２４は、例えばアルミニウム等の金属製の押出形材により構成されている。
【００２０】
このような外障子２０においては、下框２２の内部に、該下框２２の見込み方向に沿って延在する図示せぬ軸部の中心軸回りに回転可能な樹脂製の戸車２６が設けられている。また、左縦框２３には、その室内側見付け面にハンドル２７が設けられている。
【００２１】
室内側の障子（以下、内障子（第２障子）ともいう）３０は、上框３１、下框３２及び左右一対の縦框３３，３４を四周框組みすることによって構成された框体の内部に面材であるガラス板３５が保持されたものであり、開口枠１０の内部に装着可能な大きさに構成されている。
【００２２】
上框３１は、例えばアルミニウム等の金属製の押出形材である室外側上框部３１１と、樹脂製の押出形材である室内側上框部３１２とが互いに係合して構成されている。下框３２は、例えばアルミニウム等の金属製の押出形材である室外側下框部３２１と、樹脂製の押出形材である室内側下框部３２２とが互いに係合して構成されている。
【００２３】
左右一対の縦框３３，３４のうち右方の縦框（以下、右縦框ともいう）３３は、例えばアルミニウム等の金属製の押出形材である室外側右縦框部３３１と、樹脂製の押出形材である室内側右縦框部３３２とが互いに係合して構成されている。また、左方の縦框（以下、左縦框ともいう）３４は、例えばアルミニウム等の金属製の押出形材である室外側左縦框部３４１と、樹脂製の押出形材である室内側左縦框部３４２とが互いに係合して構成されている。
【００２４】
このような内障子３０においては、下框３２の内部に、該下框３２の見込み方向に沿って延在する図示せぬ軸部の中心軸回りに回転可能な樹脂製の戸車３６が設けられている。また、右縦框３３には、その室内側見付け面にハンドル３７が設けられている。
【００２５】
上記開口枠１０を構成する下枠本体部１２ａには、図４に示すように、アタッチメント１が着脱可能に装着されており、該アタッチメント１が装着されることで開口枠１０の一部となる下枠１２が構成されている。
【００２６】
アタッチメント１は、例えばアルミニウム等の不燃性の金属材料や難燃性の樹脂材料等から構成されるものであり、本実施の形態においてはアルミニウムから構成されるものを用いている。このようなアタッチメント１は、下枠本体部１２ａに装着されることで構成される下枠１２の上面を略平坦にするためのものであり、レールアタッチメント４０，５０、レール間アタッチメント６０、室外側アタッチメント７０、室内側アタッチメント８０を備えている。
【００２７】
レールアタッチメント４０，５０は、複数（図示の例では２つ）設けられており、室外側レールアタッチメント４０及び室内側レールアタッチメント５０を備えている。
【００２８】
室外側レールアタッチメント４０は、左右方向が長手方向となる長尺状部材であり、長手方向に沿って延在する収納溝部４１に外障子用下レール１２５の全長を収納させることで該外障子用下レール１２５を覆うよう装着されている。かかる室外側レールアタッチメント４０は、収納溝部４１から外障子用下レール１２５が離脱するよう上方に向けて移動させることで下枠本体部１２ａから取り外すことができ、着脱可能なものである。
【００２９】
この室外側レールアタッチメント４０は、上記収納溝部４１の他に、案内部４２、第１保持部４３及び第２保持部４４を備えている。
【００３０】
案内部４２は、収納溝部４１の上部に形成されている。この案内部４２の上面は、下枠本体部１２ａにおける室内側端部の上面と略同一の高さレベルとなっている。また、この案内部４２は、室外側レールアタッチメント４０の全長に亘って上方に突出して形成され、かつ上端面に戸車２６を転動可能に載置させている。これにより、外障子２０は、上框２１に形成された上溝部２８に外障子用上レール１１５が相対的に進入するとともに、戸車２６が案内部４２の上端面を転動することで左右方向に沿って開閉移動可能である。
【００３１】
そして、外障子２０が開閉移動することで、室外側レールアタッチメント４０の室外側を臨む部分が外障子２０の下框２２（室外側下框部２２１）の室外側垂下片２２１ａの室内側面に対向しており、室外側レールアタッチメント４０の室内側を臨む部分が外障子２０の下框２２（室外側下框部２２１）の室内側垂下片２２１ｂの室外側面に対向している。室外側垂下片２２１ａ及び室内側垂下片２２１ｂは、開口枠１０の見込み方向においてアタッチメント１と重なる位置まで下方に向けて延在する部位である。
【００３２】
第１保持部４３は、室外側レールアタッチメント４０の室外側部分に形成されている。この第１保持部４３は、室外側レールアタッチメント４０の全長に亘って形成されており、上下一対の第１保持片４３１，４３２を有している。このような第１保持部４３は、いわゆるタイト材と称される気密材４５を保持するものである。つまり、室外側レールアタッチメント４０は、室外側に設けられた気密材４５を備えている。気密材４５は、左右方向が長手方向となる長尺状部材であり、第１保持部４３の全長に亘って該第１保持部４３に保持されている。この気密材４５の先端部分の一部が、外障子２０の下框２２における室外側垂下片２２１ａの室内側面に摺接している。
【００３３】
第２保持部４４は、室外側レールアタッチメント４０の室内側部分に形成されている。この第２保持部４４は、室外側レールアタッチメント４０の全長に亘って形成されており、上下一対の第２保持片４４１，４４２を有している。このような第２保持部４４は、第２保持片４４１，４４２間において例えば発泡黒鉛等の熱膨張性部材５を保持するものである。熱膨張性部材５は、左右方向が長手方向となる長尺状板状体であり、第２保持部４４の全長に亘って該第２保持部４４に設けられている。より詳細には、熱膨張性部材５は、第２保持片４４１，４４２間において室外側レールアタッチメント４０に貼り付けられた状態で第２保持部４４に設けられている。
【００３４】
このような室外側レールアタッチメント４０においては、上述したように室外側レールアタッチメント４０の室内側を臨む部分が室内側垂下片２２１ｂに対向しているから、該室内側垂下片２２１ｂと対向する部位に熱膨張性部材５が設けられていることになる。
【００３５】
室内側レールアタッチメント５０は、左右方向が長手方向となる長尺状部材であり、長手方向に沿って延在する収納溝部５１に内障子用下レール１２６の全長を収納させることで該内障子用下レール１２６を覆うよう装着されている。かかる室内側レールアタッチメント５０は、収納溝部５１から内障子用下レール１２６が離脱するよう上方に向けて移動させることで下枠本体部１２ａから取り外すことができ、着脱可能なものである。
【００３６】
この室内側レールアタッチメント５０は、上記収納溝部５１の他に、案内部５２、第１保持部５３及び第２保持部５４を備えている。
【００３７】
案内部５２は、収納溝部５１の上部に形成されている。この案内部５２の上面は、上記案内部４２の上面と略同一の高さレベルとなっている。つまり、案内部５２の上面は、下枠本体部１２ａにおける室内側端部の上面と略同一の高さレベルとなっている。
【００３８】
また、この案内部５２は、室内側レールアタッチメント５０の全長に亘って上方に突出して形成され、かつ上端面に戸車３６を転動可能に載置させている。これにより、内障子３０は、上框３１に形成された上溝部３８に内障子用上レール１１６が相対的に進入するとともに、戸車３６が案内部５２の上端面を転動することで左右方向に沿って開閉移動可能である。
【００３９】
そして、このように左右方向に沿って開閉移動可能な内障子３０と上記外障子２０とにおいては、外障子２０の左縦框２３が左側の縦枠（以下、左縦枠ともいう）１３に当接し、内障子３０の右縦框３３が右側の縦枠（以下、右縦枠ともいう）１４に当接した場合に、外障子２０の右外縦框２４に形成された係止片２４３と内障子３０の左内縦框３４に形成された係止片３４３とが互いに係合して矩形開口１５を閉塞している。このような外障子２０及び内障子３０では、左縦框２３と右縦框３３とが戸先框となり、右外縦框２４と左内縦框３４とが召合せ框となる。
【００４０】
また内障子３０が開閉移動することで、室内側レールアタッチメント５０の室外側を臨む部分が内障子３０の下框３２（室外側下框部３２１）の室外側垂下片３２１ａの室内側面に対向しており、室内側レールアタッチメント５０の室内側を臨む部分が内障子３０の下框３２（室外側下框部３２１）の室内側垂下片３２１ｂに対向している。室外側垂下片３２１ａ及び室内側垂下片３２１ｂは、開口枠１０の見込み方向においてアタッチメント１と重なる位置まで下方に向けて延在する部位である。
【００４１】
第１保持部５３は、室内側レールアタッチメント５０の室外側部分に形成されている。この第１保持部５３は、室内側レールアタッチメント５０の全長に亘って形成されており、上下一対の第１保持片５３１，５３２を有している。このような第１保持部５３は、いわゆるタイト材と称される気密材５５を保持するものである。気密材５５は、左右方向が長手方向となる長尺状部材であり、第１保持部５３の全長に亘って該第１保持部５３に保持されている。この気密材５５の先端部分の一部が、内障子３０の下框３２における室外側垂下片３２１ａの室内側面に摺接している。
【００４２】
第２保持部５４は、室内側レールアタッチメント５０の室内側部分に形成されている。この第２保持部５４は、室内側レールアタッチメント５０の全長に亘って形成されており、上下一対の第２保持片５４１，５４２を有している。このような第２保持部５４は、第２保持片５４１，５４２間において例えば発泡黒鉛等の熱膨張性部材５を保持するものである。熱膨張性部材５は、左右方向が長手方向となる長尺状板状体であり、第２保持部５４の全長に亘って該第２保持部５４に設けられている。より詳細には、熱膨張性部材５は、第２保持片５４１，５４２間において室内側レールアタッチメント５０に貼り付けられた状態で第２保持部５４に設けられている。
【００４３】
このような室内側レールアタッチメント５０においては、上述したように室内側レールアタッチメント５０の室内側を臨む部分が室内側垂下片３２１ｂに対向しているから、該室内側垂下片３２１ｂと対向する部位に熱膨張性部材５が設けられていることになる。
【００４４】
レール間アタッチメント６０は、左右方向が長手方向となる長尺状部材であり、長手方向に沿って延在する補強基部６１の下部の室内側端部６１１が下枠本体部１２ａに載置されるとともに、補強基部６１の下部の室外側端部６１２が下枠本体部１２ａに係合することにより、外障子用下レール１２５と内障子用下レール１２６との相互間に下枠本体部１２ａの全長に亘って装着されている。かかるレール間アタッチメント６０は、室外側端部６１２と下枠本体部１２ａとの係合状態を解除することにより下枠本体部１２ａから取り外すことができ、着脱可能なものである。
【００４５】
このレール間アタッチメント６０は、上記補強基部６１の他に、第１対向壁部６２及び第２対向壁部６３を備えている。
【００４６】
第１対向壁部６２は、補強基部６１の上面の室外側部分より上方に向けて延在する部位であり、レール間アタッチメント６０の全長に亘って形成されている。この第１対向壁部６２は、室外側を臨む部分の上部が外障子２０の下框２２における室内側垂下片２２１ｂの室内側面に対向している。この第１対向壁部６２の室外側を臨む部分には、その上端部分において室外側に向けて突出する第１対向壁保持片６４１が補強基部６１の上面と対向することで第１対向壁保持部６４が形成されている。
【００４７】
第１対向壁保持部６４は、例えば発泡黒鉛等の熱膨張性部材５を保持するものである。熱膨張性部材５は、左右方向が長手方向となる長尺状板状体であり、第１対向壁保持部６４の全長に亘って該第１対向壁保持部６４に設けられている。より詳細には、熱膨張性部材５は、第１対向壁保持片６４１と補強基部６１の上面との間において第１対向壁部６２の室外側を臨む部分に貼り付けられた状態で第１対向壁保持部６４に設けられている。
【００４８】
第２対向壁部６３は、補強基部６１の上面の室内側部分より上方に向けて延在する部位であり、レール間アタッチメント６０の全長に亘って形成されている。この第２対向壁部６３の上方への延在長さは、第１対向壁部６２よりも僅かに大きいものであり、これにより第２対向壁部６３の上端部と、第１対向壁部６２の上端部とを連結する上板部６６は、室内側に向かうに連れて漸次上方に僅かに傾斜している。この上板部６６は、上記案内部４２の上面、並びに上記案内部５２の上面と略同一の高さレベルとなっている。
【００４９】
このような第２対向壁部６３は、室内側を臨む部分の上部が内障子３０の下框３２における室外側垂下片３２１ａの室外側面に対向している。この第２対向壁部６３の室内側を臨む部分には、その上端部分において室内側に向けて突出する第２対向壁保持片６５１が補強基部６１の上面と対向することで第２対向壁保持部６５が形成されている。
【００５０】
第２対向壁保持部６５は、例えば発泡黒鉛等の熱膨張性部材５を保持するものである。熱膨張性部材５は、左右方向が長手方向となる長尺状板状体であり、第２対向壁保持部６５の全長に亘って該第２対向壁保持部６５に設けられている。より詳細には、熱膨張性部材５は、第２対向壁保持片６５１と補強基部６１の上面との間において第２対向壁部６３の室内側を臨む部分に貼り付けられた状態で第２対向壁保持部６５に設けられている。
【００５１】
このようなレール間アタッチメント６０においては、上述したように第１対向壁部６２の室外側を臨む部分の一部が外障子２０の室内側垂下片２２１ｂの室内側面に対向し、かつ第２対向壁部６３の室内側を臨む部分の一部が内障子３０の室外側垂下片３２１ａの室外側面に対向しているから、外障子２０及び内障子３０の各垂下片２２１ｂ，３２１ａと対向する部位に熱膨張性部材５が設けられていることになる。
【００５２】
室外側アタッチメント７０は、左右方向が長手方向となる長尺状部材である。この室外側アタッチメント７０は、一部が屈曲されて構成されており、この屈曲部分の下部７１が下枠本体部１２ａに載置されるとともに、下端部の室内側突出端部７２及び室外側突出端部７３が下枠本体部１２ａに係合することにより、外障子用下レール１２５の室外側において下枠本体部１２ａの全長に亘って装着されている。
【００５３】
かかる室外側アタッチメント７０は、室内側突出端部７２及び室外側突出端部７３と、下枠本体部１２ａとの係合状態を解除することにより下枠本体部１２ａから取り外すことができ、着脱可能なものである。
【００５４】
この室外側アタッチメント７０の上面は、上記案内部４２の上面及び上記案内部５２の上面と略同一の高さレベルとなっている。
【００５５】
この室外側アタッチメント７０の室内側を臨む部分の上部が外障子２０の下框２２における室外側垂下片２２１ａの室外側面に対向している。この室外側アタッチメント７０の室内側を臨む部分には、その上端部分において室内側に向けて突出する室外側保持片７４１が上記室内側突出端部７２と対向することで室外側保持部７４が形成されている。
【００５６】
室外側保持部７４は、例えば発泡黒鉛等の熱膨張性部材５を保持するものである。熱膨張性部材５は、左右方向が長手方向となる長尺状板状体であり、室外側保持部７４の全長に亘って該室外側保持部７４に設けられている。より詳細には、熱膨張性部材５は、室外側保持片７４１と室内側突出端部７２との間において室内側を臨む部分に貼り付けられた状態で室外側保持部７４に設けられている。
【００５７】
このような室外側アタッチメント７０においては、上述したように室内側を臨む部分の一部が外障子２０の室外側垂下片２２１ａの室外側面に対向しているから、該室外側垂下片２２１ａと対向する部位に熱膨張性部材５が設けられていることになる。
【００５８】
室内側アタッチメント８０は、左右方向が長手方向となる長尺状部材である。この室内側アタッチメント８０は、一部が屈曲されて構成されており、この屈曲部分の下部８１が下枠本体部１２ａに載置されるとともに、室内側の上端部８２及び室外側の上端部８３が下枠本体部１２ａに係合することにより、内障子用下レール１２６の室内側において下枠本体部１２ａの全長に亘って装着されている。かかる室内側アタッチメント８０は、室内側の上端部８２及び室外側の上端部８３と、下枠本体部１２ａとの係合状態を解除することにより下枠本体部１２ａから取り外すことができ、着脱可能なものである。
【００５９】
この室内側アタッチメント８０の室内側上端部８２における室外側を臨む部分が内障子３０の下框３２における室内側垂下片３２１ｂの室内側面に対向している。この室内側アタッチメント８０の室外側を臨む部分には、室外側に向けて突出する上下一対の室内側保持片８４１，８４２が形成されることで室内側保持部８４が形成されている。
【００６０】
室内側保持部８４は、例えば発泡黒鉛等の熱膨張性部材５を保持するものである。熱膨張性部材５は、左右方向が長手方向となる長尺状板状体であり、室内側保持部８４の全長に亘って該室内側保持部８４に設けられている。より詳細には、熱膨張性部材５は、室内側保持片８４１，８４２の間において室外側を臨む部分に貼り付けられた状態で室内側保持部８４に設けられている。
【００６１】
このような室内側アタッチメント８０においては、上述したように室外側を臨む部分の一部が内障子３０の室内側垂下片３２１ｂの室内側面に対向しているから、該室内側垂下片３２１ｂの室内側面に対向する部位に熱膨張性部材５が設けられていることになる。
【００６２】
以上のような構成を有する建具においては、外障子２０及び内障子３０が矩形開口１５を閉塞する場合において、例えば火災等のように極めて高い温度で加熱されると、開口枠１０や障子２０，３０を構成する部材のうち、樹脂製の部材が溶融してしまうとともに、各アタッチメント１に貼付された熱膨張性部材５が膨張することとなる。
【００６３】
ここで、室外側レールアタッチメント４０では、外障子２０の室内側垂下片２２１ｂの室外側面と対向する部位に熱膨張性部材５が設けられているので、熱膨張性部材５が膨張すると、該室外側レールアタッチメント４０と室内側垂下片２２１ｂとの隙間を塞ぐことになる。また室内側レールアタッチメント５０では、内障子３０の室内側垂下片３２１ｂの室外側面と対向する部位に熱膨張性部材５が設けられているので、熱膨張性部材５が膨張すると、該室内側レールアタッチメント５０と室内側垂下片３２１ｂとの隙間を塞ぐことになる。
【００６４】
レール間アタッチメント６０では、外障子２０の室内側垂下片２２１ｂの室内側面及び内障子３０の室外側垂下片３２１ａの室外側面と対向する部位に熱膨張性部材５が設けられているので、熱膨張性部材５が膨張すると、該レール間アタッチメント６０と室内側垂下片２２１ｂとの隙間、並びに該レール間アタッチメント６０と室外側垂下片３２１ａとの隙間を塞ぐことになる。
【００６５】
室外側アタッチメント７０では、外障子２０の室外側垂下片２２１ａの室外側面と対向する部位に熱膨張性部材５が設けられているので、熱膨張性部材５が膨張すると、該室外側アタッチメント７０と室外側垂下片２２１ａとの隙間を塞ぐことになる。
【００６６】
室内側アタッチメント８０では、内障子３０の室内側垂下片３２１ｂの室内側面と対向する部位に熱膨張性部材５が設けられているので、熱膨張性部材５が膨張すると、該室内側レールアタッチメント５０と室内側垂下片３２１ｂとの隙間を塞ぐことになる。
【００６７】
この結果、下枠１２と各障子２０，３０との隙間を塞ぐことで、室内側下框部２２２等の樹脂製部材が溶融して消失しても室内と室外との気密性を十分に確保し、火炎等が室内及び室外の一方から他方へと伝わることをある程度抑制して防火性能を確保することができる。
【００６８】
しかも、上記建具においては、下枠本体部１２ａに着脱可能に装着されるアタッチメント１に熱膨張性部材５を設けているので、従来のように下枠本体部に熱膨張性部材を貼付する場合に比して、熱膨張性部材５が下枠１２の排水経路に貼付される虞れがなく、結果的に、排水性能の低下を招来しない。
【００６９】
以上説明したように、本実施の形態である建具によれば、排水性能の低下を招来しないで防火性能を確保できるので、排水性を十分に確保しつつ防火性を良好なものとすることができる。
【００７０】
上記建具によれば、下枠本体部１２ａに着脱可能に装着されるアタッチメント１に熱膨張性部材５が設けられているので、熱膨張性部材５が経年劣化した場合には、図５に示すようにアタッチメント１（レール間アタッチメント６０、室内側アタッチメント８０等）を下枠本体部１２ａから取り外して該アタッチメント１に貼付されている熱膨張性部材５を交換すればよく、熱膨張性部材５の交換が容易で、メンテナンス作業を簡易なものとすることができる。
【００７１】
上記建具によれば、アタッチメント１に熱膨張性部材５が設けられているので、下枠本体部１２ａに取り付ける熱膨張性部材を削減することができる。
【００７２】
上記建具によれば、室外側レールアタッチメント４０及び室内側レールアタッチメント５０のそれぞれの室外側に設けられた気密材４５，５５が室外側垂下片２２１ａ，３２１ａの室内側面に摺接しており、レール間アタッチメント６０に設けられた熱膨張性部材５が室外側垂下片３２１ａの室外側面に対向し、かつ室外側アタッチメント７０に設けられた熱膨張性部材５が室外側垂下片２２１ａの室外側面に対向しているので、例えば火災等のように極めて高い温度で加熱されると、熱膨張性部材５が膨張してレール間アタッチメント６０と室外側垂下片３２１ａとの隙間を塞ぐとともに、室外側アタッチメント７０と室外側垂下片２２１ａとの隙間を塞ぐ。
【００７３】
以上、本発明の好適な実施の形態について説明したが、本発明はこれに限定されるものではなく、種々の変更を行うことができる。
【００７４】
図６は、本発明の実施の形態である建具の変形例の要部を拡大して示す縦断面図である。尚、この図６において上述した実施の形態である建具と同一の構成、並びに形状は若干異なるが同一の機能を有するものには同一の符号を付している。
【００７５】
この図６に示すように、本発明においては、アタッチメント１を構成するレール間アタッチメント６０′の上板部６６の上面、並びにアタッチメント１を構成する室内側アタッチメント８０′の上面に熱膨張性部材５を設けてもよい。
【００７６】
このようにレール間アタッチメント６０′の上板部６６の上面、並びに室内側アタッチメント８０′の上面に熱膨張性部材５を設けることで、建具が火災等の極めて高い温度で加熱されると、上板部６６の上面、並びに室内側アタッチメント８０′の上面に設けられて熱膨張性部材５が上方に向けて膨張することとなり、これにより下枠１２と各障子２０，３０との隙間を塞ぐことができる。
【００７７】
上述した実施の形態では、室外側レールアタッチメント４０において、第２保持部４４の全長に亘って熱膨張性部材５が設けられていたが、本発明では、外障子２０が内障子３０とともに矩形開口１５を閉塞する場合において、外障子２０の下框２２における室内側垂下片２２１ｂの室外側面に対向する部分にのみ熱膨張性部材５が設けられていてもよい。このような構成によっても、上述した実施の形態と同様に、排水性を十分に確保しつつ防火性を良好なものとすることができるという効果を奏し、更に熱膨張性部材５の使用量を低減できるので、製造コストの低減化を図ることができる。
【００７８】
上述した実施の形態では、室内側レールアタッチメント５０において、第２保持部５４の全長に亘って熱膨張性部材５が設けられていたが、本発明では、内障子３０が外障子２０とともに矩形開口１５を閉塞する場合において、内障子３０の下框３２における室内側垂下片３２１ｂの室外側面に対向する部分にのみ熱膨張性部材５が設けられてもよい。このような構成によっても、上述した実施の形態と同様に、排水性を十分に確保しつつ防火性を良好なものとすることができるという効果を奏し、更に熱膨張性部材５の使用量を低減できるので、製造コストの低減化を図ることができる。
【００７９】
上述した実施の形態では、レール間アタッチメント６０において、第１対向壁保持部６４及び第２対向壁保持部６５の全長に亘って熱膨張性部材５が設けられていたが、本発明では次のように熱膨張性部材５が設けられてレール間アタッチメント６０”が構成されてもよい。すなわち、外障子２０及び内障子３０により矩形開口１５が閉塞される場合において、図７に示すように、レール間アタッチメント６０”の第１対向壁保持部６４における該外障子２０の下框２２における室内側垂下片２２１ｂの室内側面に対向する部分、並びに図８に示すようにレール間アタッチメント６０”の第２対向壁保持部６５における該内障子３０の下框３２における室外側垂下片３２１ａの室外側面に対向する部分にのみ熱膨張性部材５が設けられてもよい。このような構成によっても、上述した実施の形態と同様に、排水性を十分に確保しつつ防火性を良好なものとすることができるという効果を奏し、更に熱膨張性部材５の使用量を低減できるので、製造コストの低減化を図ることができる。
【００８０】
上述した実施の形態では、室外側アタッチメント７０において、室外側保持部７４の全長に亘って熱膨張性部材５が設けられていたが、本発明では、外障子２０が内障子３０とともに矩形開口１５を閉塞する場合において、外障子２０の下框２２における室外側垂下片２２１ａの室外側面に対向する部分にのみ熱膨張性部材５が設けられてもよい。このような構成によっても、上述した実施の形態と同様に、排水性を十分に確保しつつ防火性を良好なものとすることができるという効果を奏し、更に熱膨張性部材５の使用量を低減できるので、製造コストの低減化を図ることができる。
【００８１】
上述した実施の形態では、室内側アタッチメント８０において、室内側保持部８４の全長に亘って熱膨張性部材５が設けられていたが、本発明では、内障子３０が外障子２０とともに矩形開口１５を閉塞する場合において、内障子３０の下框３２における室内側垂下片３２１ｂの室内側面に対向する部分にのみ熱膨張性部材５が設けられてもよい。このような構成によっても、上述した実施の形態と同様に、排水性を十分に確保しつつ防火性を良好なものとすることができるという効果を奏し、更に熱膨張性部材５の使用量を低減できるので、製造コストの低減化を図ることができる。
【００８２】
上述した実施の形態では、室外側レールアタッチメント４０及び室内側レールアタッチメント５０における案内部４２，５２の上面は、上方に凸となる形状を有していたが、本発明においては、各レールアタッチメントにおける案内部の上面は、各障子の戸車の外周面の形状に応じて適宜決められるもので、例えば全長に亘ってＶ字状の凹部が形成されていてもよい。
【００８３】
図９は、本発明の実施の形態である建具の他の変形例の要部を拡大して示す縦断面図である。尚、この図９において上述した実施の形態である建具と同一の構成、並びに形状は若干異なるが同一の機能を有するものには同一の符号を付して重複した説明を省略する。この図９に示す建具においては、下枠本体部１２ａ′及びアタッチメント１００を備えている。
【００８４】
下枠本体部１２ａ′は、外障子用下レール１２５′及び内障子用下レール１２６′の室外側を臨む部分にこれらレール１２５′，１２６′の全長に亘って気密材４５，５５が保持されている。気密材４５は、外障子２０の室外側垂下片２２１ａの室内側面に摺接している。気密材５５は、内障子３０の室外側垂下片３２１ａの室内側面に摺接している。
【００８５】
アタッチメント１００は、レール間アタッチメント１６０、室外側アタッチメント７０及び室内側アタッチメント１８０を備えて構成されている。
【００８６】
レール間アタッチメント１６０は、左右方向が長手方向となる長尺状部材であり、上記レール間アタッチメント６０と同様に、外障子用下レール１２５′と内障子用下レール１２６′との相互間に下枠本体部１２ａ′の全長に亘って着脱可能に装着されている。このレール間アタッチメント１６０は、案内部１６１、対向壁部１６２及び上板部１６３を備えて構成されている。
【００８７】
案内部１６１は、外障子用下レール１２５′に当接する部位において該外障子用下レール１２５′の上方側となる部分に形成されている。この案内部１６１の上面は、下枠本体部１２ａ′における室内側端部の上面と略同一の高さレベルとなっている。また、この案内部１６１は、レール間アタッチメント１６０の全長に亘って上方に突出して形成され、かつ上端面に戸車２６を転動可能に載置させている。これにより、外障子２０は、戸車２６が案内部１６１の上端面を転動することで左右方向に沿って開閉移動可能である。
【００８８】
対向壁部１６２は、レール間アタッチメント１６０における室内側部分の上部を構成するもので、該レール間アタッチメント１６０の全長に亘って形成されている。この対向壁部１６２は、室内側を臨む部分が内障子３０の室外側垂下片３２１ａの室外側面に対向している。この対向壁部１６２の室内側を臨む部分には、熱膨張性部材５が貼付されて設けられている。
【００８９】
上板部１６３は、レール間アタッチメント１６０における上部を構成するもので、該レール間アタッチメント１６０の全長に亘って形成されている。この上板部１６３の上面は、外障子２０の下框２２における室内側下端面に対向している。かかる上板部１６３の上面には、熱膨張性部材５が貼付されて設けられている。
【００９０】
室内側アタッチメント１８０は、左右方向が長手方向となる長尺状部材であり、内障子用下レール１２６′の室内側に下枠本体部１２ａ′の全長に亘って着脱可能に装着されている。この室内側アタッチメント１８０は、案内部１８１及び上板部１８２を備えて構成されている。
【００９１】
案内部１８１は、内障子用下レール１２６′に当接する部位において該内障子用下レール１２６′の上方側となる部分に形成されている。この案内部１８１の上面は、下枠本体部１２ａ′における室内側端部の上面と略同一の高さレベルとなっている。また、この案内部１８１は、室内側アタッチメント１８０の全長に亘って上方に突出して形成され、かつ上端面に戸車３６を転動可能に載置させている。これにより、内障子３０は、戸車３６が案内部１８１の上端面を転動することで左右方向に沿って開閉移動可能である。
【００９２】
上板部１８２は、室内側アタッチメント１８０における上部を構成するもので、該室内側アタッチメント１８０の全長に亘って形成されている。この上板部１８２の上面は、内障子３０の下框３２における室内側下端面に対向している。かかる上板部１８２の上面には、熱膨張性部材５が貼付されて設けられている。
【００９３】
このようなアタッチメント１００においては、上記アタッチメント１と比して、レール間アタッチメント１６０が室外側レールアタッチメント４０及びレール間アタッチメント６０の機能を兼用しており、室内側アタッチメント１８０が室内側レールアタッチメント５０及び室内側アタッチメント８０の機能を兼用している。
【００９４】
このような構成を有する建具においても、例えば火災等の極めて高い温度で加熱された場合に、レール間アタッチメント１６０、室外側アタッチメント７０及び室内側アタッチメント１８０に設けられた熱膨張性部材５が膨張することで、各障子２０，３０とアタッチメント１００との隙間を塞ぐことができる。
【００９５】
上述した実施の形態では、開口枠１０に２枚の障子２０，３０を備えた引違い窓を建具の一例として説明したが、本発明においては、引違い窓だけに限られず、片引き窓にも適用することができる。
【００９６】
本発明に係る建具は、開口を有する開口枠と、前記開口枠に対して開閉自在にそれぞれ支持された複数の障子とを備えた建具であって、前記開口枠を構成する下枠本体部に見込み方向に並列した状態で設けられ、前記複数の障子をそれぞれ案内するための複数のレールと、前記下枠本体部における前記レールの相互間の部位に着脱可能に装着されるレール間アタッチメントとを備え、前記レール間アタッチメントは、当該レール間アタッチメントにおける上方に位置し、鉛直方向に交差して延在する上板部を有し、前記上板部には、第１熱膨張性部材が取り付けられていることを特徴とする。
【００９７】
また、本発明は、上述した建具において、前記上板部には、断面コ字状の溝部が設けられ、前記第１熱膨張性部材は、前記溝部内に収納されていることを特徴とする。
【００９８】
また、本発明は、上述した建具において、前記複数のレールのいずれかのレールには、前記レール間アタッチメントと見込み方向に対向する位置に第２熱膨張性部材が取り付けられていることを特徴とする。
【００９９】
また、本発明は、上述した建具において、前記レール間アタッチメントは、前記上板部から下方に向けてそれぞれ延在し、見込み方向に並列する第１対向壁部及び第２対向壁部を有し、前記第１対向壁部及び前記第２対向壁部の少なくとも一方には、第３熱膨張性部材が取り付けられていることを特徴とする。
【０１００】
また、本発明は、上述した建具において、前記複数の障子のいずれかの第１障子を構成する下框は、前記複数のレールのうち当該第１障子を案内する第１レールと見込み方向に重なる位置まで下方に向けて延在する垂下片を有し、前記垂下片は、前記第１障子を構成する下框において、前記第１レールに対して前記レール間アタッチメントから離間する側にのみ設けられ、前記第１対向壁部は、前記第２対向壁部よりも前記第１レールに近接する側に設けられ、前記第３熱膨張性部材は、前記第１対向壁部に取り付けられていることを特徴とする。
【０１０１】
本発明に係る建具は、開口を有する開口枠と、前記開口枠に対して開閉自在にそれぞれ支持された複数の障子とを備えた建具であって、前記開口枠を構成する下枠本体部に見込み方向に並列した状態で設けられ、前記複数の障子をそれぞれ案内するための複数のレールと、前記下枠本体部における前記複数のレールのうち最も室内側に位置する室内レールよりも室内側の部位に着脱可能に装着される室内側アタッチメントとを備え、前記室内側アタッチメントにおける上方の部位には、第４熱膨張性部材が取り付けられていることを特徴とする。
【符号の説明】
【０１０２】
１  アタッチメント
５  熱膨張性部材
１０  開口枠
１２  下枠
１２ａ  下枠本体部
１５  矩形開口
２０  外障子
２２  下框
３０  内障子
３２  下框
４０  室外側レールアタッチメント
５０  室内側レールアタッチメント
６０  レール間アタッチメント
７０  室外側アタッチメント
８０  室内側アタッチメント
【図１】
2019070310.tif 000003
【図２】
2019070310.tif 000004
【図３】
2019070310.tif 000005
【図４】
2019070310.tif 000006
【図５】
2019070310.tif 000007
【図６】
2019070310.tif 000008
【図７】
2019070310.tif 000009
【図８】
2019070310.tif 000010
【図９】
2019070310.tif 000011